(57)【要約】【課題】記録された音声情報が意図せずに出力されてしまう可能性を低減する。【解決手段】音声情報が記録され、ペーパー電池３１による電源電位が与えられた場合に音声情報を出力するＩＣチップ３４と、ペーパー電池３１の正極との間に、押下されることにより導通状態となるスイッチ３３と、音声メッセージ伝達シート１が折り畳まれた状態では非導通状態であり、音声メッセージ伝達シート１が見開かれた状態で導通状態となるスイッチ３７とを互いに直列に接続して設ける。【選択図】図１
2008032988.tif 000002
【特許請求の範囲】
【請求項１】
折り畳み可能に構成され、記録された音声情報を出力可能な音声メッセージ伝達シートであって、
音声情報が記録され、該音声情報を出力するための指示信号が入力された場合に、記録された音声情報を出力するＩＣチップと、
前記ＩＣチップから出力された音声情報を外部に出力する音声情報出力手段と、
前記指示信号を発生させる信号発生手段と、
押下されることにより導通状態となる第１のスイッチと、
前記音声メッセージ伝達シートが折り畳まれた状態では非導通状態であり、前記音声メッセージ伝達シートが見開かれた状態で導通状態となる第２のスイッチとを有し、
前記第１のスイッチと前記第２のスイッチとは、前記信号発生手段と前記ＩＣチップとの間にて互いに直列に接続されている音声メッセージ伝達シート。
【発明の詳細な説明】
【技術分野】
【０００１】
本発明は、記録された音声情報を出力可能な音声メッセージ伝達シートに関し、特に、折り畳み可能に構成された音声メッセージ伝達シートにおける音声情報の出力規制技術に関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。
【０００３】
送付物の発送先においては、送付されてきた送付物が受け取られた後、送付物に印刷された情報が閲覧されることにより、送付物の発送元にて通知したい情報が認識されることになる。
【０００４】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを視覚的にしか発送先に伝達することができず、それにより、伝達可能な情報の種類が限定されてしまう。
【０００５】
そこで、音声情報を記録可能に構成された音声記憶機能付カードが、特許文献１に開示されている。
【０００６】
図７は、従来の音声記憶機能付カードの一構成例を示す図であり、（ａ）は内部構造を示す図、（ｂ）は断面図である。
【０００７】
本従来例は図７に示すように、２枚のカード４０２，４０３が折り部４０４を介して連接し、マイクロフォン４３１、スピーカ４３２、回路部４３３、回路基板４３４及びスイッチ４３５等からなる音声情報記憶部４３０が、カード４０３と、このカード４０３に対向するカード４０５とに挟み込まれて構成されている。音声情報記憶部４３０を挟み込んだ２枚のカード４０３，４０５は、音声情報記憶部４３０の周囲にて接着剤４４０で互いに貼着されている。
【０００８】
このように構成された音声記憶機能付カードは、スイッチ４３５が操作されながらマイクロフォン４３１を介して音声情報が入力されると、入力された音声情報が回路部４３３に記録され、その後、スイッチ４３５が押下されると、回路部４３３に記録された音声情報がスピーカ４３２から出力される。
【０００９】
また、このような折り畳み可能に構成されたカードについて、カードを所定の角度に開いた時に音声情報が出力され、閉じた時に音声情報の出力を停止するためのスイッチ部の構造が特許文献２に開示されており、このスイッチ部の構造を用いることにより、折り畳み可能に構成されたカードが見開かれた場合に、記録された音声情報を出力することができる。
【特許文献１】特公平０３−４５４３３号公報
【特許文献２】実開平０６−３６７２号公報
【発明の開示】
【発明が解決しようとする課題】
【００１０】
しかしながら、上述したように音声情報を出力するためのスイッチが設けられ、スイッチが押下された場合に予め記録された音声情報が出力される音声メッセージ伝達シートにおいては、郵送中等において意図せずにスイッチが押下された場合、記録された音声情報が出力され、その内容が外部に漏洩してしまうという問題点がある。また、音声メッセージ伝達シートが挟まれた状態となる等、スイッチが押下され続けた場合、記録された音声情報が出力され続け、内蔵された電池が無駄に消耗してしまうという問題点がある。
【００１１】
また、見開かれた場合に音声情報が出力されるように構成された音声メッセージ伝達シートにおいても、郵送中等において意図せずに見開かれた場合、上記同様の問題が生じてしまう。
【００１２】
本発明は、上述したような従来の技術が有する問題点に鑑みてなされたものであって、記録された音声情報が意図せずに出力されてしまう可能性を低減することができる音声メッセージ伝達シートを提供することを目的とする。
【課題を解決するための手段】
【００１３】
上記目的を達成するために本発明は、
折り畳み可能に構成され、記録された音声情報を出力可能な音声メッセージ伝達シートであって、
音声情報が記録され、該音声情報を出力するための指示信号が入力された場合に、記録された音声情報を出力するＩＣチップと、
前記ＩＣチップから出力された音声情報を外部に出力する音声情報出力手段と、
前記指示信号を発生させる信号発生手段と、
押下されることにより導通状態となる第１のスイッチと、
前記音声メッセージ伝達シートが折り畳まれた状態では非導通状態であり、前記音声メッセージ伝達シートが見開かれた状態で導通状態となる第２のスイッチとを有し、
前記第１のスイッチと前記第２のスイッチとは、前記信号発生手段と前記ＩＣチップとの間にて互いに直列に接続されている。
【００１４】
上記のように構成された本発明においては、音声メッセージ伝達シートが折り畳まれた状態では、信号発生手段とＩＣチップとの間に接続された第２のスイッチが非導通状態となっている。そのため、信号発生手段にて発生した、音声情報を出力するための指示信号はＩＣチップに入力されず、ＩＣチップに記録された音声情報は音声情報出力手段から出力されない。また、この状態において、信号発生手段とＩＣチップとの間に接続された第１のスイッチが押下された場合、第１のスイッチが導通状態となるが、信号発生手段とＩＣチップとの間においては、第１のスイッチと第２のスイッチとが互いに直列に接続されているため、音声メッセージ伝達シートが折り畳まれていることにより第２のスイッチが非導通状態となっていれば、第１のスイッチが押下されることによって第１のスイッチが導通状態となっても、信号発生手段にて発生した指示信号はＩＣチップに入力されず、ＩＣチップに記録された音声情報は音声情報出力手段から出力されない。
【００１５】
また、音声メッセージ伝達シートが見開かれた場合は、信号発生手段とＩＣチップとの間に接続された第２のスイッチが導通状態となる。ところが、信号発生手段とＩＣチップとの間においては、第１のスイッチと第２のスイッチとが互いに直列に接続されているため、第１のスイッチが押下されることによって第１のスイッチが導通状態とならなければ、信号発生手段にて発生した指示信号はＩＣチップに入力されず、ＩＣチップに記録された音声情報は音声情報出力手段から出力されない。
【００１６】
音声メッセージ伝達シートが見開かれた状態で第１のスイッチが押下されると、音声メッセージ伝達シートが見開かれることにより第２のスイッチが導通状態となり、また、第１のスイッチが押下されることによって第１のスイッチが導通状態となる。第１のスイッチと第２のスイッチとは、信号発生手段とＩＣチップとの間にて互いに直列に接続されているため、第１のスイッチと第２のスイッチとがともに導通状態となると、信号発生手段にて発生した指示信号がＩＣチップに入力され、それにより、ＩＣチップに記録された音声情報が音声情報出力手段から外部に出力されることになる。
【００１７】
このように、音声メッセージ伝達シートが見開かれ、かつ、第１のスイッチが押下された場合にのみ、ＩＣチップに記録された音声情報が音声情報出力手段から外部に出力されることになるので、記録された音声情報が意図せずに出力されてしまう可能性が低減することになる。
【発明の効果】
【００１８】
以上説明したように本発明においては、音声情報が記録され、指示信号が入力された場合に音声情報を出力するＩＣチップと、指示信号を発生させる信号発生手段との間にて、押下されることにより導通状態となる第１のスイッチと、音声メッセージ伝達シートが折り畳まれた状態では非導通状態であり、音声メッセージ伝達シートが見開かれた状態で導通状態となる第２のスイッチとが互いに直列に接続された構成としたため、音声メッセージ伝達シートが見開かれ、かつ、第１のスイッチが押下された場合にのみ、ＩＣチップに記録された音声情報が外部に出力されることになり、記録された音声情報が意図せずに出力されてしまう可能性を低減することができる。
【発明を実施するための最良の形態】
【００１９】
以下に、本発明の実施の形態について図面を参照して説明する。
【００２０】
図１は、本発明の音声メッセージ伝達シートの実施の一形態を示す図であり、（ａ）は折り畳み状態における内側の面の構成を示す図、（ｂ）は内部構造を示す図、（ｃ）は（ａ）に示したＡ−Ａ’断面図である。
【００２１】
本形態は図１に示すように、第１紙片領域２と第２紙片領域３とが折り部４を介して折り畳み可能に連接して構成されており、音声情報の記録及び再生が可能なシート状の音声情報記録／再生部３０が、紙基材等の柔軟性を有し、かつ薄型の基材からなる２枚の支持シート２０ａ，２０ｂに挟み込まれ、また、音声情報記録／再生部３０が挟まれた支持シート２０ａ，２０ｂが、紙基材等の柔軟性を有し、かつ薄型の基材からなる２枚の表面シート１０ａ，１０ｂに挟み込まれている。なお、表面シート１０ａ，１０ｂ、支持シート２０ａ，２０ｂ及び音声情報記録／再生部３０は、支持シート２０ａ，２０ｂの表裏に施された粘着加工によって互いに接着されている。この粘着加工は、支持シート２０ａ，２０ｂの表裏に両面テープを貼付することや、ホットメルト型接着剤を塗布すること等によって行うことが考えられる。また、音声情報記録／再生部３０は、第１紙片領域２内にて支持シート２０ａ，２０ｂに挟み込まれている。
【００２２】
音声情報記録／再生部３０は、ピエゾ素子４１、振動板４２及びフィルムシート（不図示）からシート状に構成されて音声情報を出力するための音声情報出力部４０と、外部から入力された音声情報が記録されるメモリ領域を具備する薄型のＩＣチップ３４やコンデンサ、抵抗等の回路素子が搭載されるとともに、外部からＩＣチップ３４に音声情報を記録するための接続端子３５や配線パターン３６ａ〜３６ｃを含む導電パターンが形成された音声基板３２と、押下されることにより導通状態となって音声基板３２に形成された配線パターン３６ｂと配線パターン３６ｃとを導通させる第１のスイッチ３３と、音声メッセージ伝達シート１が見開かれた場合に導通状態となって音声基板３２に形成された配線パターン３６ａと配線パターン３６ｂとを導通させる第２のスイッチ３７と、音声基板３２に接続され、音声基板３２に電源を供給するための柔軟性を有してなる信号発生手段となるペーパー電池３１とから構成されており、これにより、音声情報記録／再生部３０は、音声情報の記録及び再生が可能に構成されている。また、スイッチ３３とスイッチ３７とは、ペーパー電池３１とＩＣチップ３４との間にて配線パターン３６ｂを介して互いに直列に接続されている。音声基板３２においては、柔軟性を有し、かつ薄型の繊維強化プラスチック（ＦＲＰ）やポリエチレンテレフタレート（ＰＥＴ）、ポリイミドあるいはリードフレーム等からなるベース基板に、異方性導電性接着剤（ＡＣＰ）や異方性導電性フィルム（ＡＣＦ）あるいはワイヤボンディング等によってＩＣチップ３４が接合されている。また、ＩＣチップ３４は、接続端子３５を介して入力された音声情報をメモリ領域に記録し、また、メモリ領域に記録された音声情報を音声情報出力部４０を介して出力する制御を行うものであって、ＩＣチップ３４のメモリ領域に記録された音声情報を音声情報出力部４０を介して出力するための指示信号が入力されるポート端子がその指示信号の電位となる電源電位になった場合、ＩＣチップ３４のメモリ領域に記録された音声情報を音声情報出力部４０を介して出力する。また、スイッチ３３は、ＩＣチップ３４のメモリ領域に記録された音声情報を音声情報出力部４０を介して出力する際に押下されるものである。また、スイッチ３７は、スライド板３７ａと接点３７ｂとからなり、音声メッセージ伝達シート１が折り部４にて折り畳まれる動作に応じてスライド板３７ａが第１紙片領域２と第２紙片領域３の連接方向に移動し、音声メッセージ伝達シート１が折り畳まれた状態では非導通状態となり、また、音声メッセージ伝達シート１が折り部４にて折り畳まれた状態では導通状態となって接点３７ｂを介して配線パターン３６ａと配線パターン３６ｂとを導通させる。
【００２３】
また、この音声情報記録／再生部３０を挟み込んでいる２枚の支持シート２０ａ，２０ｂは、折り部４にてそれぞれ２つの領域に分割されている。
【００２４】
また、表面シート１０ａの第１紙片領域２には、スイッチ３３と対向する領域に、スイッチ３３を押下するための再生ボタン２ｂが印刷され、また、音声情報出力部４０と対向する領域に、音声情報出力部４０から出力された音声を外部に出力するための微細な穴が羅列されてなる音声出力領域２ｃが形成されている。このように微細な穴が羅列されてなる音声出力領域２ｃが形成されているため、音声情報出力部４０が表裏を表面シート１０ａ，１０ｂで覆われた状態であっても、音声情報出力部４０から出力される音量の低下を補うことができる。なお、音声出力領域２ｃにおいては、例えば、レーザ加工によって、０．１ｍｍ径の穴が縦横２．０ｍｍ間隔で形成されている。そのため、抜き加工や針等によって穴を形成する場合と比べてバリが発生せず、その後そのバリによって穴が塞がれてしまうことはない。また、再生ボタン２ｂにおいては、印刷によって表面シート１０ａ上に設けておかず、表面シート１０ａに情報が印刷された後に、スイッチ３３に対向する領域にシールを貼付することによって設けることも考えられる。また、表面シート１０ａの第１紙片領域２には、この音声メッセージ伝達シート１の発送元から発送先に通知すべき情報を印刷あるいは記入するための情報表示領域２ａが設けられている。
【００２５】
図２は、図１に示した音声メッセージ伝達シート１の積層状態を示す図である。
【００２６】
図２に示すように、支持シート２０ａにおいては、音声情報記録／再生部３０と積層された場合に、スイッチ３３、ＩＣチップ３４及び音声情報出力部４０と対向する領域に穴２２，２３，２４ａがそれぞれ形成されており、また、スイッチ３７と対向する領域は、切り欠き２５ａによって支持シート２０ａが対向しないようになっている。また、第２紙片領域３の支持シート２０ａにおいても、切り欠き２５ａに隣接する領域に切り欠き２５ｂが設けられている。
【００２７】
また、支持シート２０ｂにおいては、音声情報記録／再生部３０と積層された場合に、ペーパー電池３１及び音声情報出力部４０と対向する領域に穴２１，２４ｂがそれぞれ形成されている。
【００２８】
このように、支持シート２０ａの、スイッチ３３、ＩＣチップ３４及び音声情報出力部４０と対向する領域に穴２２，２３，２４ａがそれぞれ形成され、また、支持シート２０ｂの、ペーパー電池３１及び音声情報出力部４０と対向する領域に穴２１，２４ｂがそれぞれ形成されることにより、ペーパー電池３１、スイッチ３３、ＩＣチップ３４及び音声情報出力部４０が設けられている領域と他の領域とで厚さの差が小さくなり、それにより、表面シート１０ａ，１０ｂの平坦性が向上し、表面シート１０ａ，１０ｂ上に情報を容易に印刷することができるようになる。さらには、音声情報記録／再生部３０の最も厚い部分の厚さに対して、支持シート２０ａ，２０ｂの厚さを合計した厚さを同等、若しくは厚くすることにより、表面シート１０ａ，１０ｂをほぼ平坦な状態とすることができる。この場合、音声情報記録／再生部３０の薄い部分、例えば音声基板３２の部分を支持シート２０ａ，２０ｂにより挟み込むことによって音声基板３２が固定される。
【００２９】
また、支持シート２０ａのスイッチ３７と対向する領域に切り欠き２５ａが設けられていることにより、スイッチ３７のスライド板３７ａが支持シート２０ａによって固定されずに第１紙片領域２と第２紙片領域３の連接方向に移動可能となっている。
【００３０】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００３１】
図３（ａ）に示すように、支持シート２０ａのスイッチ３３と対向する領域に形成された穴２２はスイッチ３３よりも大きく、また、ＩＣチップ３４と対向する領域に形成された穴２３はＩＣチップ３４よりも大きく、また、音声情報出力部４０と対向する領域に形成された穴２４ａは音声情報出力部４０よりも大きくなっている。また、支持シート２０ａの切り欠き２５ａ，２５ｂは、支持シート２０ａがスイッチ３７に接しない程度の大きさとなっている。
【００３２】
また、図３（ｂ）に示すように、支持シート２０ｂのペーパー電池３１と対向する領域に形成された穴２１はペーパー電池３１よりも小さく、また、音声情報出力部４０と対向する領域に形成された穴２４ｂは音声情報出力部４０よりも小さくなっている。
【００３３】
これにより、音声情報記録／再生部３０は、２枚の支持シート２０ａ，２０ｂによって一部のみが表裏から挟み込まれるように積層され、支持シート２０ａ，２０ｂの表裏に施された粘着加工によって固定されている。
【００３４】
図４は、図１に示したスイッチ３７の構造を示す図であり、（ａ）は音声メッセージ伝達シート１が見開かれた場合のスイッチ３７の状態を示す斜視図、（ｂ）は音声メッセージ伝達シート１が折り部４にて折り畳まれた場合のスイッチ３７の状態を示す斜視図である。
【００３５】
図１に示したスイッチ３７は図４に示すように、一部がＶ字状に屈曲された導電性の板材からなる接点３７ｂと、接点３７ｂが挿通可能な開口部３７ｃを有する樹脂製の板材からなるスライド板３７ａとから構成されている。接点３７ｂは、一端が音声基板３２の配線パターン３６ｂと接続され、開口部３７ｃに挿通して他端がスライド板３７ａの上面に乗り上げている。スライド板３７ａは、音声メッセージ伝達シート１が見開かれた状態では、図１に示したように、開口部３７ｃとは反対側の端部が折り部４よりも第２紙片領域３側に突出しており、上述したように第１紙片領域２と第２紙片領域３の連接方向に移動可能に構成されている。
【００３６】
このように構成されたスイッチ３７においては、音声メッセージ伝達シート１が見開かれた状態では、図４（ａ）に示すように、接点３７ｂのＶ字状の部分が開口部３７ｃに位置し、開口部３７ａを介してスライド板３７ａの音声基板３２側に突出した状態となっている。
【００３７】
この状態から音声メッセージ伝達シート１が折り部４にて折り畳まれると、スライド板３７ａの開口部３７ｃとは反対側の端部が第２紙片領域３によって押され、図４（ｂ）に示すように、スライド板３７ａが接点３７ｂの配線パターン３６ｂとの接続部分側に移動し、それにより、接点３７ｂのＶ字状の部分がスライド板３７ａ上に乗り上げた状態となる。
【００３８】
以下に、上記のように構成された音声メッセージ伝達シート１の作用について説明する。
【００３９】
図５は、図１〜図４に示した音声メッセージ伝達シート１の作用を説明するための図であり、（ａ）は音声基板３２上の詳細な構成を示す図、（ｂ）は（ａ）に示したスイッチ３３が押下されていない状態におけるＡ−Ａ’断面図、（ｃ）は（ａ）に示したスイッチ３３が押下された状態におけるＡ−Ａ’断面図、（ｄ）はスイッチ３７が非導通状態におけるＢ−Ｂ’断面図、（ｅ）はスイッチ３７が導通状態におけるＢ−Ｂ’断面図である。また、図６は、図１〜４に示した音声メッセージ伝達シート１の作用を説明するための音声情報記録／再生部３０の等化回路図であり、（ａ）は２つのスイッチ３３，３７が非導通状態である場合の回路図、（ｂ）はスイッチ３３が導通状態でありスイッチ３７が非導通状態である場合の回路図、（ｃ）はスイッチ３３が非導通状態でありスイッチ３７が導通状態である場合の回路図、（ｄ）は２つのスイッチ３３，３７が導通状態である場合の回路図である。
【００４０】
図５（ａ）に示すように本形態においては、ペーパー電池３１の正極に接続された配線パターン３６ａがスイッチ３７の接点３７ｂのＶ字状となる部分の下部まで延びるように音声基板３２上に形成されており、また、接点３７ｂの一端に接続された配線パターン３６ｂがスイッチ３３の下部まで延びるように音声基板３２上に形成されており、また、ＩＣチップ３４のポート端子のうち、ＩＣチップ３４のメモリ領域に記録された音声情報を出力するための指示信号が入力されるポート端子に接続された配線パターン３６ｃが配線パターン３６ｂと接触しないようにスイッチ３３の下部まで延びるように音声基板３２上に形成されている。なお、ＩＣチップ３４においては、配線パターン３６ｃに接続されたポート端子が指示信号の電位となる電源電位になった場合、ＩＣチップ３４のメモリ領域に記録された音声情報を出力する。
【００４１】
上記のように構成された音声メッセージ伝達シート１においては、折り部４を介して折り畳まれた状態では、図５（ｄ）に示すように、接点３７ｂのＶ字状の部分がスライド板３７ａ上に乗り上げていて接点３７ｂと配線パターン３６ａとが接しておらず、それにより、スイッチ３７が非導通状態となって、ペーパー電池３１の正極に接続された配線パターン３６ａは、接点３７ｂの一端に接続された配線パターン３６ｂと接続されない状態となっている。そのため、ＩＣチップ３４のポート端子のうち、ＩＣチップ３４のメモリ領域に記録された音声情報を出力するための指示信号が入力されるポート端子は、ペーパー電池３１の正極による電源電位が配線パターン３６ａ〜３６ｃを介して与えられずにオープン状態となっており、ＩＣチップ３４のメモリ領域に記録された音声情報は出力されない。また、この際、再生ボタン２ｂを介してスイッチ３３が押下されていなければ、図５（ｂ）に示すように、スイッチ３３も非導通状態となって、ＩＣチップ３４のメモリ領域に記録された音声情報を出力するための指示信号が入力されるポート端子に接続された配線パターン３６ｃも、接点３７ｂの一端に接続された配線パターン３６ｂと接続されていない状態となっている。このように、音声メッセージ伝達シート１が折り部４にて折り畳まれ、かつ、再生ボタン２ｂを介してスイッチ３３が押下されていない状態においては、図６（ａ）に示すように、スイッチ３３，３７が共に非導通状態となって、ＩＣチップ３４のポート端子のうち、ＩＣチップ３４のメモリ領域に記録された音声情報を出力するための指示信号が入力されるポート端子は、ペーパー電池３１の正極による電源電位が与えられずにオープン状態となっており、ＩＣチップ３４のメモリ領域に記録された音声情報は出力されない。
【００４２】
また、この状態において、再生ボタン２ｂを介してスイッチ３３が押下された場合、図５（ｃ）に示すように、スイッチ３３が導通状態となって、ＩＣチップ３４のメモリ領域に記録された音声情報を出力するための指示信号が入力されるポート端子に接続された配線パターン３６ｃと、接点３７ｂの一端に接続された配線パターン３６ｂとが、スイッチ３３の裏面に塗布された導電剤３３ａを介して電気的に接続された状態となる。ところが、上述したように、折り部４を介して折り畳まれた状態では、スイッチ３７が非導通状態であって、ペーパー電池３１の正極に接続された配線パターン３６ａと、接点３７ｂの一端に接続された配線パターン３６ｂとが接続されていない状態となっているため、配線パターン３６ｂと配線パターン３６ｃとが電気的に接続されても、ＩＣチップ３４のポート端子のうち、ＩＣチップ３４のメモリ領域に記録された音声情報を出力するための指示信号が入力されるポート端子は、ペーパー電池３１の正極による電源電位が配線パターン３６ａ〜３６ｃを介して与えられずにオープン状態となっており、ＩＣチップ３４のメモリ領域に記録された音声情報は出力されない。このように、音声メッセージ伝達シート１が折り部４にて折り畳まれ、かつ、再生ボタン２ｂを介してスイッチ３３が押下された状態においては、図６（ｂ）に示すように、スイッチ３３が導通状態となるもののスイッチ３７が非導通状態であって、ＩＣチップ３４のポート端子のうち、ＩＣチップ３４のメモリ領域に記録された音声情報を出力するための指示信号が入力されるポート端子は、ペーパー電池３１の正極による電源電位が与えられずにオープン状態となっており、ＩＣチップ３４のメモリ領域に記録された音声情報は出力されない。
【００４３】
これにより、音声メッセージ伝達シート１が折り部４を介して折り畳まれた状態においては、郵送中等において意図せずに再生ボタン２ｂを介してスイッチ３３が押下された場合であっても、ＩＣチップ３４に記録された音声情報が出力されることがなく、ＩＣチップ３４に記録された音声情報が外部に漏洩してしまったり、ペーパー電池３１が無駄に消耗してしまったりすることがなくなる。
【００４４】
また、音声メッセージ伝達シート１が見開かれた場合は、図５（ｅ）に示すように、スイッチ３７のスライド板３７ａが接点３７ｂの配線パターン３６ｂとの接続部分側に移動し、それにより、接点３７ｂのＶ字状の部分が開口部３７ｃを介してスライド板３７ａの音声基板３２側に突出する。音声基板３２の接点３７ｂのＶ字状の部分に対向する領域には、ペーパー電池３１の正極に接続された配線パターン３６ａが存在するため、接点３７ｂのＶ字状の部分が配線パターン３６ａと当接し、それにより、スイッチ３７が導通状態となって、ペーパー電池３１の正極に接続された配線パターン３６ａと、接点３７ｂの一端に接続された配線パターン３６ｂとが接続された状態となる。ところが、このように音声メッセージ伝達シート１が見開かれた場合であっても、再生ボタン２ｂを介してスイッチ３３が押下されていない状態においては、図５（ｂ）に示すように、スイッチ３３が非導通状態であって、ＩＣチップ３４のメモリ領域に記録された音声情報を出力するための指示信号が入力されるポート端子に接続された配線パターン３６ｃが、接点３７ｂの一端に接続された配線パターン３６ｂと接続されていない状態となっているため、配線パターン３６ａと配線パターン３６ｂとが電気的に接続されても、ＩＣチップ３４のポート端子のうち、ＩＣチップ３４のメモリ領域に記録された音声情報を出力するための指示信号が入力されるポート端子は、ペーパー電池３１の正極による電源電位が配線パターン３６ａ〜３６ｃを介して与えられずにオープン状態となっており、ＩＣチップ３４のメモリ領域に記録された音声情報は出力されない。このように、音声メッセージ伝達シート１が見開かれ、かつ、再生ボタン２ｂを介してスイッチ３３が押下されていない状態においては、図６（ｃ）に示すように、スイッチ３７が導通状態となるもののスイッチ３３が非導通状態であって、ＩＣチップ３４のポート端子のうち、ＩＣチップ３４のメモリ領域に記録された音声情報を出力するための指示信号が入力されるポート端子は、ペーパー電池３１の正極による電源電位が与えられずにオープン状態となっており、ＩＣチップ３４のメモリ領域に記録された音声情報は出力されない。
【００４５】
これにより、音声メッセージ伝達シート１が見開かれた場合であっても、再生ボタン２ｂを介してスイッチ３３が押下されなければ、ＩＣチップ３４に記録された音声情報が出力されることがなく、ＩＣチップ３４に記録された音声情報が外部に漏洩してしまったり、ペーパー電池３１が無駄に消耗してしまったりすることがなくなる。
【００４６】
音声メッセージ伝達シート１が見開かれた状態で再生ボタン２ｂを介してスイッチ３３が押下されると、音声メッセージ伝達シート１が見開かれることにより図５（ｅ）に示すようにスイッチ３７が導通状態となって配線パターン３６ａと配線パターン３６ｂとが接続され、また、図５（ｃ）に示すようにスイッチ３３が導通状態となって配線パターン３６ｂと配線パターン３６ｃとが接続された状態となる。すると、配線パターン３６ａに接続されたペーパー電池３１の正極と、配線パターン３６ｃに接続されたＩＣチップ３４のポート端子とが配線パターン３６ａ〜３６ｃを介して接続され、ＩＣチップ３４のポート端子のうち、ＩＣチップ３４のメモリ領域に記録された音声情報を出力するための指示信号が入力されるポート端子が、ペーパー電池３１の正極による電源電位となって指示信号がＩＣチップ３４に入力されたことになり、それにより、ＩＣチップ３４のメモリ領域に記録された音声情報が音声情報出力部４０を介して出力される。このように、音声メッセージ伝達シート１が見開かれ、かつ、再生ボタン２ｂを介してスイッチ３３が押下された状態においては、図６（ｄ）に示すように、スイッチ３３，３７が導通状態となって、ＩＣチップ３４のポート端子のうち、ＩＣチップ３４のメモリ領域に記録された音声情報を出力するための指示信号が入力されるポート端子には、ペーパー電池３１の正極による電源電位が配線パターン３６ａ〜３６ｃを介して与えられ、ＩＣチップ３４のメモリ領域に記録された音声情報が出力される。ＩＣチップ３４から出力された音声情報は、音声情報出力部４０を介して外部に出力されることになる。
【００４７】
なお、本形態においては、ＩＣチップ３４のポート端子のうち、ＩＣチップ３４のメモリ領域に記録された音声情報を出力するための指示信号が入力されるポート端子がその指示信号の電位となる電源電位になった場合に、ＩＣチップ３４のメモリ領域に記録された音声情報が音声情報出力部４０を介して出力されるものを例に挙げて説明したが、そのポート端子がグランド電位になった場合、あるいは所定の電位となった場合に、ＩＣチップ３４のメモリ領域に記録された音声情報が音声情報出力部４０を介して出力される構成とすることも考えられる。指示信号の電位としてグランド電位を用いる場合は、配線パターン３６ａの一端をペーパー電池３１の負極に接続すればよい。また、指示信号の電位として所定の電位を用いる場合は、ペーパー電池３１の正極に接続された抵抗やレギュレータ等のペーパー電池３１による電源電位から所定の電位を発生させる回路素子に配線パターン３６ａの一端を接続すればよく、その場合は、ペーパー電池３１とその回路素子とから信号発生手段が構成されることになる。
【図面の簡単な説明】
【００４８】
【図１】本発明の音声メッセージ伝達シートの実施の一形態を示す図であり、（ａ）は折り畳み状態における内側の面の構成を示す図、（ｂ）は内部構造を示す図、（ｃ）は（ａ）に示したＡ−Ａ’断面図である。
【図２】図１に示した音声メッセージ伝達シートの積層状態を示す図である。
【図３】図１及び図２に示した支持シートと音声情報記録／再生部とを積層した状態を示す図である。
【図４】図１に示したスイッチの構造を示す図であり、（ａ）は音声メッセージ伝達シートが見開かれた場合のスイッチの状態を示す斜視図、（ｂ）は音声メッセージ伝達シートが折り部にて折り畳まれた場合のスイッチの状態を示す斜視図である。
【図５】図１〜図４に示した音声メッセージ伝達シートの作用を説明するための図であり、（ａ）は音声基板上の詳細な構成を示す図、（ｂ）は（ａ）に示したスイッチが押下されていない状態におけるＡ−Ａ’断面図、（ｃ）は（ａ）に示したスイッチが押下された状態におけるＡ−Ａ’断面図、（ｄ）はスイッチが非導通状態におけるＢ−Ｂ’断面図、（ｅ）はスイッチが導通状態におけるＢ−Ｂ’断面図である。
【図６】図１〜４に示した音声メッセージ伝達シートの作用を説明するための音声情報記録／再生部の等化回路図である。
【図７】従来の音声記憶機能付カードの一構成例を示す図であり、（ａ）は内部構造を示す図、（ｂ）は断面図である。
【符号の説明】
【００４９】
１    音声メッセージ伝達シート
２    第１紙片領域
２ａ    情報表示領域
２ｂ    再生ボタン
２ｃ    音声出力領域
３    第２紙片領域
４    折り部
１０ａ，１０ｂ    表面シート
２０ａ，２０ｂ    支持シート
２１，２２，２３，２４ａ，２４ｂ    穴
２５ａ，２５ｂ    切り欠き
３０    音声情報記録／再生部
３１    ペーパー電池
３２    音声基板
３３，３７    スイッチ
３３ａ    導電剤
３４    ＩＣチップ
３５    接続端子
３６ａ〜３６ｃ    配線パターン
３７ａ    スライド板
３７ｂ    接点
３７ｃ    開口部
４０    音声情報出力部
４１    ピエゾ素子
４２    振動板
【図１】
2008032988.tif 000003
【図２】
2008032988.tif 000004
【図３】
2008032988.tif 000005
【図４】
2008032988.tif 000006
【図５】
2008032988.tif 000007
【図６】
2008032988.tif 000008
【図７】
2008032988.tif 000009